【手続補正書】
【提出日】平成25年8月26日(2013.8.26)
【手続補正１】
【補正対象書類名】特許請求の範囲
【補正対象項目名】全文
【補正方法】変更
【補正の内容】
【特許請求の範囲】
【請求項１】
被検眼の網膜のボリュームデータを取得する取得手段と、
複数の投影法のうちいずれかの投影法を選択する投影法選択手段と、
前記取得されたボリュームデータを前記選択された投影法により投影した投影像を表示手段に表示させる表示制御手段と、
を有することを特徴とする眼科用画像処理装置。
【請求項２】
複数の網膜層のうち少なくとも１つの網膜層を選択する層選択手段を更に有し、
前記表示制御手段が、前記取得されたボリュームデータにおける前記選択された網膜層を前記選択された投影法により投影した投影像を前記表示手段に表示させることを特徴とする請求項１に記載の眼科用画像処理装置。
【請求項３】
前記層選択手段が、前記複数の網膜層のうち神経線維層と網膜色素上皮層とを除いた網膜層を選択し、
前記投影法選択手段が、前記複数の投影法のうち、前記取得されたボリュームデータにおける前記選択された網膜層のうち所定値以上の輝度を有するデータを投影する投影法を選択することを特徴とする請求項２に記載の眼科用画像処理装置。
【請求項４】
前記層選択手段が、前記複数の網膜層のうち神経線維層と網膜色素上皮層とを除いた網膜層を選択し、
前記投影法選択手段が、前記複数の投影法のうち最大値投影法を選択することを特徴とする請求項２または３に記載の眼科用画像処理装置。
【請求項５】
前記取得されたボリュームデータを解析して複数の網膜層を抽出する解析手段を更に有し、
前記層選択手段が、前記抽出された複数の網膜層のうち少なくとも１つの網膜層を選択することを特徴とする請求項２乃至４のいずれか１項に記載の眼科用画像処理装置。
【請求項６】
複数の表示対象のうちいずれかの表示対象を選択する表示対象選択手段を更に有し、
前記層選択手段が、前記複数の網膜層のうち前記選択された表示対象に対応する網膜層を選択し、
前記投影法選択手段が、前記複数の投影法のうち前記選択された表示対象に対応する投影法を選択することを特徴とする請求項２乃至５のいずれか１項に記載の眼科用画像処理装置。
【請求項７】
前記層選択手段が、前記選択された表示対象の輝度値に基づいて、前記複数の網膜層のうち少なくとも１つの網膜層を選択し、
前記投影法選択手段が、前記選択された表示対象の輝度値に基づいて、前記複数の投影法のうちいずれかの投影法を選択することを特徴とする請求項６に記載の眼科用画像処理装置。
【請求項８】
前記表示対象選択手段が、白斑モードを含む複数の表示モードのうちいずれかの表示モードを前記表示対象として選択し、
前記層選択手段が、前記白斑モードが選択された場合に、前記複数の網膜層のうち神経線維層と網膜色素上皮層とを除いた網膜層を選択し、
前記投影法選択手段が、前記白斑モードが選択された場合に、前記複数の投影法のうち最大値投影法を選択することを特徴とする請求項６または７に記載の眼科用画像処理装置。
【請求項９】
前記表示制御手段が、前記選択された複数の網膜層を前記選択された投影法により投影した複数の投影像を並べて前記表示手段に表示させることを特徴とする請求項２乃至８のいずれか１項に記載の眼科用画像処理装置。
【請求項１０】
コンピュータを、請求項１乃至９のいずれか１項に記載の眼科用画像処理装置の各手段として機能させることを特徴とするプログラム。
【請求項１１】
被検眼の網膜のボリュームデータを取得する工程と、
複数の投影法のうちいずれかの投影法が選択される工程と、
前記取得されたボリュームデータを前記選択された投影法により投影した投影像を表示手段に表示させる工程と、
を有することを特徴とする眼科用画像処理方法。
【請求項１２】
複数の網膜層のうち少なくとも１つの網膜層が選択される工程を更に有し、
前記表示させる工程において、前記取得されたボリュームデータにおける前記選択された網膜層を前記選択された投影法により投影した投影像を前記表示手段に表示させることを特徴とする請求項１１に記載の眼科用画像処理方法。
【請求項１３】
前記網膜層が選択される工程において、前記複数の網膜層のうち神経線維層と網膜色素上皮層とを除いた網膜層が選択され、
前記投影法が選択される工程において、前記複数の投影法のうち、前記取得されたボリュームデータにおける前記選択された網膜層のうち所定値以上の輝度を有するデータを投影する投影法が選択されることを特徴とする請求項２に記載の眼科用画像処理方法。
【請求項１４】
前記網膜層が選択される工程において、前記複数の網膜層のうち神経線維層と網膜色素上皮層とを除いた網膜層が選択され、
前記投影法が選択される工程において、前記複数の投影法のうち最大値投影法が選択されることを特徴とする請求項１２または１３に記載の眼科用画像処理方法。
【請求項１５】
前記取得されたボリュームデータを解析して複数の網膜層を抽出する工程を更に有し、
前記網膜層が選択される工程において、前記抽出された複数の網膜層のうち少なくとも１つの網膜層が選択されることを特徴とする請求項１２乃至１４のいずれか１項に記載の眼科用画像処理方法。
【請求項１６】
複数の表示対象のうちいずれかが選択される工程を更に有し、
前記網膜層が選択される工程において、前記複数の網膜層のうち前記選択された表示対象に対応する網膜層が選択され、
前記投影法が選択される工程において、前記複数の投影法のうち前記選択された表示対象に対応する投影法が選択されることを特徴とする請求項１２乃至１５のいずれか１項に記載の眼科用画像処理方法。
【請求項１７】
前記網膜層が選択される工程において、前記選択された表示対象の輝度値に基づいて、前記複数の網膜層のうち少なくとも１つの網膜層が選択され、
前記投影法が選択される工程において、前記選択された表示対象の輝度値に基づいて、前記複数の投影法のうちいずれかの投影法が選択されることを特徴とする請求項１６に記載の眼科用画像処理方法。
【請求項１８】
前記表示対象が選択される工程において、白斑モードを含む複数の表示モードのうちいずれかの表示モードが前記表示対象として選択され、
前記網膜層が選択される工程において、前記白斑モードが選択された場合に、前記複数の網膜層のうち神経線維層と網膜色素上皮層とを除いた網膜層が選択され、
前記投影法が選択される工程において、前記白斑モードが選択された場合に、前記複数の投影法のうち最大値投影法が選択されることを特徴とする請求項１６または１７に記載の眼科用画像処理方法。
【請求項１９】
前記表示させる工程において、前記選択された複数の網膜層を前記選択された投影法により投影した複数の投影像を並べて前記表示手段に表示させることを特徴とする請求項１２乃至１８のいずれか１項に記載の眼科用画像処理方法。
【請求項２０】
請求項１１乃至１９のいずれか１項に記載の眼科用画像処理方法の各工程をコンピュータに実行させることを特徴とするプログラム。
【手続補正２】
【補正対象書類名】明細書
【補正対象項目名】０００７
【補正方法】変更
【補正の内容】
【０００７】
本発明に係る眼科用画像処理装置は、
被検眼の網膜のボリュームデータを取得する取得手段と、
複数の投影法のうちいずれかの投影法を選択する投影法選択手段と、
前記取得されたボリュームデータを前記選択された投影法により投影した投影像を表示手段に表示させる表示制御手段と、を有する。
また、本発明に係る眼科用画像処理方法は、
被検眼の網膜のボリュームデータを取得する工程と、
複数の投影法のうちいずれかの投影法が選択される工程と、
前記取得されたボリュームデータを前記選択された投影法により投影した投影像を表示手段に表示させる工程と、を有する。
【手続補正３】
【補正対象書類名】明細書
【補正対象項目名】０００８
【補正方法】変更
【補正の内容】
【０００８】
本発明によれば、取得されたボリュームデータを選択された投影法により投影した投影像を表示手段に表示させることができる。このため、表示対象（血管や白斑など）を観察し易くすることができる。